(57)【特許請求の範囲】
【請求項１】
電子機器本体と、
所定の方向における一端部が前記電子機器本体に支持され、一表面部が前記電子機器本体に対向して設けられる収納状態と、前記一表面部が露出する展開状態とにわたって変位可能に前記電子機器本体に設けられ、前記所定の方向に垂直な方向の両側面部に、前記所定の方向に延びる案内溝が形成されている可動体とを備え、
前記電子機器本体は、前記可動体の前記一表面部を前記電子機器本体に臨ませた状態で前記案内溝にそれぞれ挿入されて、前記可動体を案内する案内レール部を有し、
前記可動体の前記所定の方向における他端部、および収納状態のときに、電子機器本体のうち前記可動体の前記所定の方向における他端部に臨む部分の少なくともいずれか一方に、収納状態で前記電子機器本体または前記可動体に当接して、該可動体を案内レール部に押圧する押圧部が設けられ、
前記案内溝および前記案内レール部は、前記押圧部によって前記可動体が押圧されるときに、前記案内レール部の延在方向の一端と、前記可動体が押圧される方向から前記案内レール部の一端に臨む前記案内溝の内周面とが非接触となるように形成されていることを特徴とする電子機器。
【請求項２】
前記案内溝の前記一端部は、押圧部によって押圧される方向とは反対側に拡がって形成されていることを特徴とする請求項１に記載の電子機器。
【請求項３】
前記押圧部は、弾性を有することを特徴とする請求項１または２に記載の電子機器。
【請求項４】
前記押圧部と、前記電子機器本体または前記可動体のうち、前記押圧部が当接する部分との少なくともいずれか一方は、合成樹脂材料から成ることを特徴とする請求項１〜３のいずれか１つに記載の電子機器。
【請求項５】
前記可動体の前記案内溝が形成される部分は合成樹脂材料からなり、
前記案内レール部は、前記合成樹脂材料よりも剛性が高い金属材料からなることを特徴とする請求項１〜４のいずれか１つに記載の電子機器。
【請求項６】
前記電子機器本体は、
前記可動体を前記案内レール部に沿って移動させるスライド変位部と、
前記収納状態で、前記電子機器本体と前記可動体とが重なる方向、および、前記可動体が前記スライド変位部によって変位する方向に、相互に垂直な幅方向に延びる軸線まわりに、前記可動体を角変位する角変位部とを有することを特徴とする請求項１〜５のいずれか１つに記載の電子機器。
【発明の詳細な説明】
【技術分野】
【０００１】
本発明は、電子機器本体と、該電子機器本体に設けられる可動体とを有する電子機器に関する。
【背景技術】
【０００２】
たとえば可動体としてディスプレイを備える従来の技術の電子機器では、ディスプレイがカバーに収納された収納状態と、カバーから露出する展開状態とにわたって変位可能に設けられている（たとえば特許文献１参照）。ディスプレイは、収納状態から表示面を下方に向けた状態でスライドして、カバーから突出し、スライド方向に垂直な軸線まわりに角変位して、展開状態に移行する。
【０００３】
前記電子機器では、カバーには内側の左右に保持部が固定され、この保持部に角パイプ状に形成された第１のスライダが摺動自在に設けられる。第１のスライダ内には摺動可能な第２のスライダが設けられ、この第２のスライダにディスプレイが角変位可能に設けられている。保持部には、貫通孔が形成されて、この貫通孔に第１のボールが挿入される。第１のボールは、押圧部によって押圧されて、その一部が貫通孔から第１のスライダ側に突出し、第１のスライダの側面に当接する。第１のボールを押圧部によって第１のスライダの両側方から内側に押圧することによって、保持部材に対する第１のスライダがたつきを抑制している。
【０００４】
また第２のスライダの底部には貫通孔が形成され、この貫通孔に第２のボールが挿入される。第２のボールは、押圧部によって押圧されて、その一部が貫通孔から第１スライダ側に突出し、第１のスライダの内周面に当接する。第２のボールを押圧部によって第１のスライダの内側に押圧することによって、第１のスライダに対する第２のスライダのがたつきを抑制している。
【０００５】
【特許文献１】特開平３−２７３９４４号公報
【発明の開示】
【発明が解決しようとする課題】
【０００６】
前述した従来の技術では、収納状態においてカバー体に対する第２のスライダのがたつき、および第１のスライダに対する第２のスライダのがたつきを抑制することはできるが、第２のスライダに角変位可能に連結されるディスプレイのがたつきを抑制することはできず、車両に設ける場合には特に、がたつきに起因する異音が発生してしまうという問題がある。
【０００７】
したがって本発明の目的は、可動体を収納した収納状態において、がたつきに起因する異音の発生を抑制することができる電子機器を提供することである。
【課題を解決するための手段】
【０００８】
本発明（１）は、電子機器本体と、
所定の方向における一端部が前記電子機器本体に支持され、一表面部が前記電子機器本体に対向して設けられる収納状態と、前記一表面部が露出する展開状態とにわたって変位可能に前記電子機器本体に設けられ、前記所定の方向に垂直な方向の両側面部に、前記所定の方向に延びる案内溝が形成されている可動体とを備え、
前記電子機器本体は、前記可動体の前記一表面部を前記電子機器本体に臨ませた状態で前記案内溝にそれぞれ挿入されて、前記可動体を案内する案内レール部を有し、
前記可動体の前記所定の方向における他端部、および収納状態のときに、電子機器本体のうち前記可動体の前記所定の方向における他端部に臨む部分の少なくともいずれか一方に、収納状態で前記電子機器本体または前記可動体に当接して、該可動体を案内レール部に押圧する押圧部が設けられ、
前記案内溝および前記案内レール部は、前記押圧部によって前記可動体が押圧されるときに、前記案内レール部の延在方向の一端と、前記可動体が押圧される方向から前記案内レール部の一端に臨む前記案内溝の内周面とが非接触となるように形成されていることを特徴とする電子機器である。
【発明の効果】
【０００９】
本発明（１）によれば、可動体は、展開状態から収容状態に移行するときに、この可動体の両側面部に形成される案内溝にそれぞれ案内レール部が挿入されて、一表面部を電子機器本体に臨ませた状態で移動する。可動体を収納状態とすると、可動体の前記所定の方向における他端部、および収納状態のときに、電子機器本体のうち可動体の所定の方向における他端部に臨む部分の少なくともいずれか一方に設けられる押圧部が、収納状態で電子機器本体または可動体に当接して、可動体の遊端部を案内レール部に押圧する。これによって、可動体の動きが規制され、収納状態において、がたつきに起因する異音の発生を抑制することができる。押圧部は、所定の方向の一端部が支持される可動体の他端部を案内レール部に押圧するので、振動によってがたつきが生じやすい前記他端部における異音の発生を効果的に抑制することができる。
また、案内溝および案内レール部は、押圧部によって可動体が押圧されるとき、案内レール部の延在方向の一端と、可動体が押圧される方向から前記案内レール部の一端に臨む案内溝の内周面とが非接触となるように形成されるので、押圧部によって可動体が押圧されたときに、案内レール部の所定の方向の一端部が案内溝に摺接して、案内溝に臨む溝案内面が削れることを防止することができ、案内レール部の一端部が案内溝に臨む溝案内面に引っ掛かることなく、可動体を円滑に移動させることができる。
【発明を実施するための最良の形態】
【００１０】
図１は、本発明の実施の一形態の電子機器であるナビゲーション装置１の構成の一部を示す斜視図であり、図１（１）は可動体３が収納位置に設けられる収納状態を示し、図１（２）は可動体３が収納状態と展開状態との間の移行位置に設けられる移行状態を示し、図１（３）は可動体３が展開位置に設けられる展開状態を示す。ナビゲーション装置１は、車両にダッシュボードに組み込まれるインダッシュ型のカーナビゲーション装置であって、ナビゲーション機能に加えて、オーディオ機能および動画再生機能などを有する。
【００１１】
ナビゲーション装置１は、電子機器本体２と、可動体３とを備える。
電子機器本体２は、第１筐体２１と、第１筐体２１の所定の方向の一端部２２が露出するように、前記第１筐体２１を支持している第２筐体２３とを含んで構成されている。第１筐体２１および第２筐体２３は、ともに略直方体形状に形成されている。ナビゲーション装置１は、幅１８０ｍｍ、高さ５０ｍｍ、奥行き２００ｍｍの１ＤＩＮサイズに形成されており、ダッシュボードに形成される１ＤＩＮサイズに対応する挿入孔に挿入されて、車両に取付けられる。以後、電子機器本体２の幅方向をＸ方向とし、奥行方向である前記所定の方向をＹ方向とし、高さ方向をＺ方向として説明する。
【００１２】
電子機器本体２の前記第１筐体２１には、記録媒体を挿入し、また記録媒体を排出するための開口部２４がＹ方向の前記一端部２２に形成されている。本実施の形態では、記録媒体は、ＣＤ（コンパクトディスク）、ＤＶＤ（Digital Versatile Disc）、BD（Blu-
ray Disc）などのディスク状記録媒体である。開口部２４は、第１筐体２１のＺ方向の一端部に設けられ、すなわち設置状態において第１筐体２１の上端部に設けられて、前記Ｙ方向の一方に開口する。第１筐体２１の内部には、光ピックアップ装置を含んで構成され、記録媒体に記録された情報を読出して再生する読出再生部と、地図データなどのナビゲーション情報を記憶する記憶部と、記憶部に記憶されているナビゲーション情報または記録媒体から読み出したナビゲーション情報および図示しないＧＰＳ（Global Positioning
System）装置からの情報に基づいて、経路のナビゲーションを行うナビゲーション処理部とが備えられている。また第１筐体２１の一端部２２には、前記開口部２４を除く位置に、ボリュームスイッチ２６を含み、ナビゲーション機能、オーディオ機能または動画再生機能に関する各種指示を入力するための操作部が設けられている。
【００１３】
可動体３は、略直方体形状を有し、板状に形成されている。可動体３は、収納位置に設けられ、すなわちその厚み方向の一表面部３２が電子機器本体２に対向して設けられる収納状態と、展開位置に設けられ、すなわち前記一表面部３２が露出する展開状態とにわたって変位可能に、電子機器本体２に設けられる。可動体３は、Ｘ方向と、可動体３の厚み方向に垂直な方向とに垂直な所定の方向における一端部３１が電子機器本体２に支持される。収納状態において、電子機器本体２と可動体３との間には隙間が形成される。前記隙間のＺ方向の大きさは、収納状態において、振動によって電子機器本体２と可動体３との対向する部分が接触しないように選ばれ、たとえば１．５ｍｍ〜２ｍｍ程度に選ばれている。
【００１４】
可動体３は、ナビゲーション装置１を設置した状態で第１筐体２１の上方、すなわち第１筐体２１のＺ方向の一方に設けられる。可動体３は、収納状態において、所定の方向の他端部である遊端部３８を除く部分が、第２筐体２３に収容される。収納状態では、可動体３の遊端部３８は、電子機器本体２の端部に臨み、すなわち第２筐体２３の一端部２２に対向する。
【００１５】
可動体３は、第３筐体２３と、該第３筐体２３に保持され、筐体液晶表示パネルおよび該液晶表示パネルの表示面を覆って形成されるタッチパネルとを有するディスプレイ部３４とを有する。ディスプレイ部３４の表示面３５は、可動体３の一表面部３２において周縁部３６を除く部分から外部に露出している。ディスプレイ部３４の表示面３５は、第３筐体２３の一表面３７よりも内側に退避して設けられている。ディスプレイ部３４は、電子機器本体２とフレキシブル配線基板によって電気的に接続されている。
【００１６】
第２筐体２３には、可動体３を変位させるための変位部４５が設けられる。変位部４５は、可動体３の厚み方向の一表面部３２を電子機器本体２に臨ませた状態で、可動体３をＹ方向に変位させるスライド変位部と、電子機器本体２と可動体３とが重なる方向（Ｚ方向）、および、可動体３がスライド変位部によって変位する方向（Ｙ方向）に、相互に垂直な幅方向（Ｘ方向）に延びる軸線まわりに、可動体３を角変位する角変位部とを備える。
【００１７】
変位部４５は可動体３の一端部３１をＸ方向に変位可能に保持する保持部４６を含む。スライド変位部は、前記保持部４６に設けられる第１モータおよび第１歯車群と、第２筐体２３に設けられてＹ方向に延び、前記第１モータからの動力が与えられる前記第１歯車群の歯車に噛合するラックギアを含んで構成される。第１モータの回転軸が回転して第１歯車群を回転することによって、第１歯車群の歯車がラックギア４７に噛合して、保持部４６をＹ方向に移動させることができ、これに伴って図１（１）および（２）に示すように、可動体３がＹ方向に移動する。
【００１８】
角変位部は、前記保持部４６に設けられる第２モータおよび第２歯車群と、可動体３に固定される第３歯車とを含んで構成される。第３歯車は、角変位軸線まわりに同軸に設けられ、前記第２歯車群の歯車と噛合する。前記第２モータの回転軸が回転して第２歯車群を回転することによって、第２歯車群の歯車が第３歯車に噛合して、図１（３）に示すように、Ｘ方向に延びる軸線まわりに可動体３を角変位させることができる。
【００１９】
図２は、可動体３の遊端部３８の近傍を拡大して示す側面図である。図２（１）および（２）は、可動体３が収納状態と展開状態との間の移行位置に設けられる移行状態を示し、図２（３）は可動体３が収納位置に設けられる収納状態を示す。また図３は、図２（３）に示す切断面腺ＩＩＩ−ＩＩＩから見た断面図である。
【００２０】
可動体３の第３筐体２３のＸ方向の両側面部４１には、所定の方向に延びる案内溝４２が形成されている。第２筐体２３には、前記案内溝４２に挿入される案内レール部４３が設けられ、収納状態では、案内溝４２に案内レール部４３が挿入されている。可動体３は、スライド変位部によってＹ方向に移動するときに、案内溝４２を形成する溝案内面４２ａが案内レール部４３に当接した状態で案内される。
【００２１】
案内レール部４３は、Ｙ方向に平行に延び、第２筐体２３の内周面部からＸ方向の内側に突出して形成されている。案内レール部４３のＹ方向の端部５０は、第２筐体２３から露出して設けられている。案内レール部４３は、板状に形成されており、Ｙ方向に直線状に延びている。案内レール部４３は金属鋼板からなり、たとえばステンレス鋼板によって形成される。案内溝４２の所定の方向に垂直な方向の幅は、この案内溝４２に挿入される案内レール部４３の厚さよりもわずかに大きい。
【００２２】
可動体３の所定の方向における他端部３３には、収納状態で電子機器本体２に当接して、該可動体３を案内レール部４３に押圧する押圧部５１が設けられる。押圧部５１は、収納状態で可動体３の厚み方向の他表面部５２に形成される。押圧部５１は、弾性を有する。具体的には押圧部５１は、板ばねによって形成され、Ｘ方向に垂直な方向の断面が略円弧形状に形成され、円弧の一端が可動体３の前記他表面部５２の一部を構成するパネルと一体に形成されている。押圧部５１は、金属材料から成り、たとえば電気亜鉛めっき鋼板を加工して形成される。押圧部５１は、他の部材と接触するので磨耗するおそれがあるが、電気亜鉛めっき鋼板は、耐摩耗性に優れ、また磨耗によって表面の色が変化しないので、収納状態と展開状態との間の移行状態において、利用者が目視可能な位置に設けられる押圧部５１が目立つことが抑制される。ここでは、押圧部５１は金属材料から成るが、合成樹脂材料によって形成されてもよく、たとえばポリアセタールなどによって形成されてもよい。
【００２３】
押圧部５１は、可動体３のＸ方向の両端部にそれぞれ設けられる。押圧部５１は、収納状態で、第２筐体２３の内周面部に臨む位置に設けられている。収容状態で、第２筐体２３のうち押圧部５１が臨む部分には、押圧部５１に当接する被当接部５６が設けられている。被当接部５６は、合成樹脂材料から成り、たとえば、ポリアセタールなどによって形成されている。第２筐体２３の上部の内周面部には、ラックギア４７が設けられている。被当接部５６は、ラックギア４７に一体に形成されており、ラックギア４７のＹ方向の一端に連なる。このためラックギア４７を第２筐体２３に取付けるだけで、被当接部５６についても第２筐体２３に取付けることができるので、被当接部５６を設けることによって組み立て工数が増加してしまうことがない。被当接部５６を合成樹脂材料によって形成すると、押圧部５１が金属材料によって形成される場合には、押圧部５１および被当接部５６同士が摺動することに起因する摺動音の発生を抑制することができる。本実施の形態では、被当接部５６を設けているが、被当接部５６は設けなくてもよく、この場合には収納状態で押圧部５１を第２筐体２３の内周面部に当接させる。
【００２４】
押圧部５１が、収納状態において被当接部５６の可動体３に対向する表面に当接すると、可動体３が第２筐体２３側、すなわち下方に押圧され、案内溝４２に臨む溝案内面４２ａが案内レール部４３に押し付けられる。これによって、可動体３の動きが規制され、第２筐体２３に対する可動体３の相対的な位置が固定されるので、がたつきに起因する異音の発生を抑制することができる。また押圧部５１は、所定の方向の一端部３１が支持される可動体３の他端部３３を案内レール部４３に押圧するので、振動によってがたつきが生じやすい前記他端部３３における異音の発生を効果的に抑制することができる。本実施の形態のナビゲーション装置１は可動体３のがたつきに起因する異音の発生を抑制することができるので、振動が与えられやすい車両において、好適に用いることができる。
【００２５】
収納状態では、押圧部５１が可動体３を押圧しても、可動体３と第１筐体２１との間には隙間が形成されるように案内溝４２および案内レール部４３が形成されている。可動体３の一表面部３２には表示面３５が設けられており、ナビゲーション装置１を使用中に利用者が目視する部分であるので、押圧部５１によって可動体３の一表面部３２が第１筐体２１に接触するように押圧しても、この部分に傷などが形成されてしまうおそれがない。
【００２６】
前述した案内溝４２および案内レール部４３は、押圧部５１によって可動体３が押圧されるときに、案内レール部４３の延在方向の一端４９と、可動体３が押圧される方向から案内レール部４３の一端４９に臨む案内溝４２の内周面とが非接触となるように形成されている。具体的には、案内溝４２の所定の方向における一端部４８が、押圧部５１によって押圧される方向とは反対側、すなわち可動体３の厚み方向の他方側に拡がって形成されている。
【００２７】
図２（２）に示すように、案内レール部４３の所定の方向の一端４９が、案内溝４２のうち溝幅が広がっている幅広部分に挿入された後、すなわち幅広部分の所定の方向の一端の位置Ａよりも、所定の方向の他方に案内レール部４３の前記一端４９が移動した後に、押圧部５１によって可動体３が押圧される。前記幅広部分を設けない場合には、押圧部５１によって可動体３が押圧されたときに、案内レール部４３の所定の方向の一端４９が案内溝４２に摺接して、案内溝４２に臨む溝案内面４２ａを削ってしまうおそれがある。特に可動体３の案内溝４２が形成される部分を合成樹脂材料によって形成し、かつ案内レール部４３を前記合成樹脂材料よりも剛性が高い金属材料によって形成する場合には、特に可動体３が削れ易くなってしまうが、前記幅広部分を設けることによって、可動体３の案内溝４２に臨む溝案内面４２ａが削れることを防止することができ、案内レール部４３の一端４９が案内溝４２に臨む溝案内面４２ａに引っ掛かることなく、可動体３を円滑に移動させることができる。
【００２８】
展開状態および展開状態と収納状態との間の位置で、押圧部５１が被当接部５６に当接していない区間においては、前述した第１モータの負荷は、押圧部５１を設けてない場合と同様である。また収納状態から展開状態に移行するとき、および、展開状態から押圧状態に移行するときにおいて、押圧部５１が被当接部５６に当接している区間では、前述した第１モータの負荷が、押圧部５１を設けてない場合と比較して大きくなってしまうが、押圧部５１がない場合であっても、動作時および停止時には、高負荷で第１モータを駆動することになるので、押圧部５１を設けて可動体３を押圧する構成としても、第１モータに定格電流以上の電流が流れてしまうことが抑制される。
【００２９】
本実施の形態では、可動体３に押圧部５１を設けているが、本発明の実施の他の形態では、収納状態で、電子機器本体２のうち可動体３の遊端部３８に臨む部分に、押圧部５１を設ける構成としてもよい。この場合、押圧部５１を第２筐体２３において前記被当接部５６が設けられる位置に、被当接部５６に代えて設ける。また押圧部５１が可動体３の遊端部３８で可動体３に当接するように、可動体３の遊端部３８が収納位置に到達するまでは、押圧部５１が可動体３と非接触となるように可動体３のうち、Ｙ方向に移動するときに押圧部５１に臨む部分の厚みを、残余の部分よりも薄く形成したり、可動体３の遊端部３８のうち収納状態で押圧部５１が接触する部分を、残余の部分よりも厚く形成したりすればよい。この場合には、可動体３の遊端部３８のうち収納状態で押圧部５１が接触する部分に、前記被当接部５６を形成してもよい。
【００３０】
また本発明の他の実施の形態では、押圧部５１を第１筐体２１のＹ方向の一端部２２に設けて、収容状態で可動体３を上方、すなわちＺ方向で第１筐体２１から離反する向きに押圧する構成としてもよく、可動体３の所定の方向の他端部３３における一表面部３２に押圧部５１を設けて、収容状態で可動体３を上方に押圧する構成としてもよい。
【００３１】
また前述した各実施の形態では、可動体３にディスプレイ部３４を設けているが、ディスプレイ部３４に変えて、電子機器本体２に入力信号を与える入力スイッチを設けてもよく、この場合には入力スイッチのスイッチ片が第３筐体２３の厚み方向の一表面部３２から露出するように配置される。可動体３には、その他、電子機器本体２と接続される電子機器が搭載されてもよく、どのような電子部品が搭載されたとしても、前述した実施の形態と同様の効果を達成することができる。
【図面の簡単な説明】
【００３２】
【図１】本発明の実施の一形態の電子機器であるナビゲーション装置１の構成の一部を示す斜視図である。
【図２】可動体３の遊端部３８の近傍を拡大して示す側面図である。
【図３】図２（３）に示す切断面腺ＩＩＩ−ＩＩＩから見た断面図である。
【符号の説明】
【００３３】
１  ナビゲーション装置
２  電子機器本体
３  可動体
２１  第１筐体
２３  第２筐体
２３  第３筐体
３４  ディスプレイ部
４１  両側面部
４２  案内溝
４２ａ  溝案内面
４３  案内レール部
５１  押圧部
５６  被当接部
【図１】
0005231860.tif 000002
【図２】
0005231860.tif 000003
【図３】
0005231860.tif 000004